(57)【要約】【課題】端尺部や特殊部の製造が容易で、且つ、損傷した場合の補修が短時間で安価にできる防音パネルユニット、防音パネルユニットの施工方法、及び防音壁の補修方法を提供する。【解決手段】両端が折り返された縦リブが形成された鋼製防音パネルが複数枚接合された防音パネルユニット１において、前記鋼製防音パネルを、構造躯体に固定支持される固定パネル２（２’）と、固定パネル２に少なくとも一側端が連結される中間パネル３と、の２種類のパネルから構成し、固定パネル２同士、及び固定パネル２と中間パネル３とを、それぞれ乾式接合する。【選択図】図２
2019056268.tif 000002
【特許請求の範囲】
【請求項１】
両端が折り返された縦リブが形成された鋼製防音パネルが複数枚接合された防音パネルユニットであって、
前記鋼製防音パネルは、構造躯体に固定支持される固定パネルと、前記固定パネルに少なくとも一側端が連結される中間パネルと、の２種類のパネルからなり、
前記固定パネル同士、及び前記固定パネルと前記中間パネルとは、それぞれ乾式接合されていること
を特徴とする防音パネルユニット。
【請求項２】
前記固定パネルが少なくとも左右一対設けられ、これらの一対の前記固定パネル間にすくなくとも１枚の前記中間パネルが設けられていること
を特徴とする請求項１に記載の防音パネルユニット。
【請求項３】
前記縦リブは、上方へ行くに従って幅が小さくなるように形成されていること
を特徴とする請求項１又は２に記載の防音パネルユニット。
【請求項４】
前記縦リブは、前記構造躯体の騒音源側へ折り返されているとともに、
前記中間パネルの前記縦リブの突端には、前記中間パネルの隣接するパネル側へ折り返された脱落防止リブが形成されていること
を特徴とする請求項１ないし３のいずれかに記載の防音パネルユニット。
【請求項５】
前記構造躯体に設けられたアンカーボルトにより締結されるベースプレートを前記固定パネルと別部材として備え、前記ベースプレートは、前記固定パネルの前記縦リブと着脱自在に接合されていること
を特徴とする請求項１ないし４のいずれかに記載の防音パネルユニット。
【請求項６】
前記ベースプレートは、前記ベースプレートとは別部材である押え金具を介して前記アンカーボルトに締結されていること
を特徴とする請求項５に記載の防音パネルユニット。
【請求項７】
前記固定パネル及び前記中間パネルは、パネル部分に防音材が装着可能に構成されていること
を特徴とする請求項１ないし６のいずれかに記載の防音パネルユニット。
【請求項８】
請求項１ないし７のいずれかに記載の防音パネルユニットを前記構造躯体に設置する防音パネルユニットの施工方法であって、
前記防音パネルユニットを施工区間内において次々に設置して行き、既に設置した前記防音パネルユニットと施工区間の残りの端尺部分を現地で実測した上、実測した端尺部分の長さに基づいて前記中間パネルの幅だけを変更して前記端尺部分に前記防音パネルユニットを設置すること
を特徴とする防音パネルユニットの施工方法。
【請求項９】
請求項１ないし７のいずれかに記載の防音パネルユニットを備える防音壁を補修する防防音壁の補修方法であって、
損傷した前記鋼製防音パネルを除く前記鋼製防音パネルを立設したまま、損傷した当該鋼製防音パネルのみを前記鋼製防音パネル同士の乾式接合を取り外して入れ替えること
を特徴とする防音壁の補修方法。
【発明の詳細な説明】
【技術分野】
【０００１】
本発明は、外側両端が折り返された縦リブが形成されて支柱とパネルとが一体となった鋼製防音パネルが複数枚接合された防音パネルユニットに関する。
【背景技術】
【０００２】
従来、高架橋の縁に沿った地覆部や高欄基礎などの構造躯体に支柱とパネルとが一体となった防音パネルが立設され、高架橋内の線路や道路から発生する騒音が周囲に漏れるのを防止する防音パネルユニットからなる防音壁が知られている。
【０００３】
例えば、特許文献１には、鉄筋コンクリート構造物の上面に固定される固定部と、コンクリート構造物に対して起立するパネル部と、を備えたプレキャストコンクリート製防音パネルを、前記上面にアンカーボルトによって列状に固定して構成するプレキャストコンクリート製防音壁において、前記上面と前記固定部下面との間に、設置方向に沿って止水材を介在させたことを特徴とするプレキャストコンクリート製防音壁及びその施工方法が開示されている（特許文献１の特許請求の範囲の請求項１，４、明細書の段落［０００５］〜［００２３］、図面の図１，図２等参照）。
【０００４】
しかし、特許文献１に開示されたプレキャストコンクリート製防音壁及びその施工方法は、コンクリート製の防音壁であるため重量が重くクレーンなどの揚重機が無ければ設置が困難であり、狭隘な場所では設置できないだけでなく、コストアップの要因となるという問題があった。また、特許文献１に開示されたプレキャストコンクリート製防音壁は、コンクリート製の防音壁であるため、経年劣化等によりパネル表面が剥離するおそれがあり、剥離片の落下事故が生じるおそれがあるという問題もあった。
【０００５】
また、特許文献２には、防音部２と、防音部２の下部に設けられた建築物躯体１４への取付部３を有するＦＲＰ製防音壁１であって、防音部２は少なくともパネル部４を有し、パネル部４の単位面積当たりの重量が５ｋｇ／ｍ2以上１０ｋｇ／ｍ2未満である防音壁が開示されている（特許文献２の特許請求の範囲の請求項１、明細書の段落［００１６］〜［００３６］、図面の図１，図２等参照）。
【０００６】
特許文献２に記載の防音壁は、必要な遮音性能を確保しながら軽量性を最大限発揮し、使用材料を最小化することができるため、製造コストを安くすることができるとされている。また、ＦＲＰ製であるため、コンクリート製の防音パネルのように、表面剥離の問題も生じない。
【０００７】
しかし、特許文献２に記載の防音壁は、ＦＲＰ製であるため通常金型が必要であり、通常の１ユニットで収まらない端尺部や、コーナー部、曲面部、勾配部などの特殊部の製造や施工が困難であるという問題があった。また、特許文献２に記載の防音壁は、ＦＲＰ製であるため、バラストの衝突や事故などにより、防音壁の一部が損傷した場合、その付近一帯の防音壁の１ユニットを全部取り替える必要があり、不経済であるという問題もあった。
【先行技術文献】
【特許文献】
【０００８】
【特許文献１】特開２０００−１４４６４８号公報
【特許文献２】特開２０１３−２０４２３４号公報
【発明の概要】
【発明が解決しようとする課題】
【０００９】
そこで、本発明は、前述した問題点に鑑みて案出されたものであり、その目的とするところは、端尺部や特殊部の製造が容易で、且つ、損傷した場合の補修が短時間で安価にできる防音パネルユニット、防音パネルユニットの施工方法、及び防音壁の補修方法を提供することにある。
【課題を解決するための手段】
【００１０】
第１発明に係る防音パネルユニットは、両端が折り返された縦リブが形成された鋼製防音パネルが複数枚接合された防音パネルユニットであって、前記鋼製防音パネルは、構造躯体に固定支持される固定パネルと、前記固定パネルに少なくとも一側端が連結される中間パネルと、の２種類のパネルからなり、前記固定パネル同士、及び前記固定パネルと前記中間パネルとは、それぞれ乾式接合されていることを特徴とする。
【００１１】
第２発明に係る防音パネルユニットは、第１発明において、前記固定パネルが少なくとも左右一対設けられ、これらの一対の前記固定パネル間にすくなくとも１枚の前記中間パネルが設けられていることを特徴とする。
【００１２】
第３発明に係る防音パネルユニットは、第１発明又は第２発明において、前記縦リブは、上方へ行くに従って幅が小さくなるように形成されていることを特徴とする。
【００１３】
第４発明に係る防音パネルユニットは、第１発明〜第３発明のいずれかの発明において、前記縦リブは、前記構造躯体の騒音源側へ折り返されているとともに、前記中間パネルの前記縦リブの突端には、前記中間パネルの隣接するパネル側へ折り返された脱落防止リブが形成されていることを特徴とする。
【００１４】
第５発明に係る防音パネルユニットは、第１発明〜第４発明のいずれかの発明において、前記構造躯体に設けられたアンカーボルトにより締結されるベースプレートを前記固定パネルと別部材として備え、前記ベースプレートは、前記固定パネルの前記縦リブと着脱自在に接合されていることを特徴とする。
【００１５】
第６発明に係る防音パネルユニットは、第５発明において、前記ベースプレートは、前記ベースプレートとは別部材である押え金具を介して前記アンカーボルトに締結されていることを特徴とする。
【００１６】
第７発明に係る防音パネルユニットは、第１発明〜第６発明のいずれかの発明において、前記固定パネル及び前記中間パネルは、パネル部分に防音材が装着可能に構成されていることを特徴とする。
【００１７】
第８発明に係る防音パネルユニットの施工方法は、第１発明〜第７発明のいずれかの発明に係る防音パネルユニットを前記構造躯体に設置する防音パネルユニットの施工方法であって、前記防音パネルユニットを施工区間内において次々に設置して行き、既に設置した前記防音パネルユニットと施工区間の残りの端尺部分を現地で実測した上、実測した端尺部分の長さに基づいて前記中間パネルの幅だけを変更して前記端尺部分に前記防音パネルユニットを設置することを特徴とする。
【００１８】
第９発明に係る防音壁の補修方法は、第１発明〜第７発明のいずれかの発明に係る防音パネルユニットを備える防音壁を補修する防音壁の補修方法であって、損傷した前記鋼製防音パネルを除く前記鋼製防音パネルを立設したまま、損傷した当該鋼製防音パネルのみを前記鋼製防音パネル同士の乾式接合を取り外して入れ替えることを特徴とする。
【発明の効果】
【００１９】
第１発明〜第９発明によれば、鋼製防音パネルは、固定パネルと中間パネルの２種類のパネルからなり、前記固定パネル同士、及び前記固定パネルと前記中間パネルとは、ボルト接合やリベット接合などの乾式接合でそれぞれ分離可能に接合されているので、鋼製の中間パネルの幅や形状を変えるだけで、端尺部や特殊部の製造が容易である。また、鋼製の防音パネルであるとともに、各パネルが乾式接合で分離可能に構成されているので、損傷した場合の補修がその部分のパネルを交換するだけで済み、メンテナンスが容易で損傷した場合の補修が短時間で安価にすることができる。
【００２０】
その上、第１発明〜第９発明によれば、鋼製の防音パネルであるので、コンクリート製の防音パネルと比べて、軽量であり、設置が容易であるとともに、表面剥離の問題も生じない。
【００２１】
特に、第２発明によれば、支柱を設置しなくても防音パネルの設置が可能となるだけでなく、各パネルが分離可能に構成されているので、損傷した場合の補修がその部分のパネルを交換するだけで済み、短時間で安価にすることができる。また、鋼製の中間パネルの幅や形状を変えるだけで、防音壁全体の長さ調整が可能で調整が容易で、鋼板なので、現地加工も可能である。
【００２２】
特に、第３発明によれば、作用する曲げモーメントが小さい部分の縦リブの折り返しを小さくし、部材の軽量化を達成することができる。
【００２３】
特に、第４発明によれば、外部への足場を設置することなく中間パネルの修理や調整、交換及び取付を容易にするとともに、橋梁の外側への中間パネルの脱落を確実に防ぐことができる。
【００２４】
特に、第５発明によれば、ベースプレートが着脱自在となっており、ベースプレートにリブが形成されていないことでパネルの足元に溜まる水を排水し易くして耐久性を向上させることができる。
【００２５】
特に、第６発明によれば、応力が集中するアンカー付近の押え金物を別部材とすることで、さらに軽量化を図ることができる。
【００２６】
特に、第７発明によれば、防音効果を高めることができるとともに、製品を現地設置後に、さらなる騒音低減が可能となる。このため、設置後の音環境の改善が可能である。
【００２７】
特に、第８発明によれば、端尺部分を現地で実測した上、実測した端尺部分の長さに基づいて前記中間パネルの幅だけを変更して前記端尺部分に前記防音パネルユニットを設置することができるので、施工が容易で短時間で設置が可能であり、設置コストを低減することができる。
【００２８】
特に、第９発明によれば、損傷した前記鋼製防音パネルを除く前記鋼製防音パネルを立設したまま、損傷した当該鋼製防音パネルのみを前記鋼製防音パネル同士の乾式接合を取り外して入れ替えることができるので、損傷した場合の補修がその部分のパネルを交換するだけで済み、メンテナンスが容易で損傷した場合の補修が短時間で安価にすることができ、ランニングコストを低減することができる。
【図面の簡単な説明】
【００２９】
【図１】本発明の実施形態に係る防音パネルユニットを示す内側斜視図である。
【図２】同上の防音パネルユニットの構成を示す分解斜視図である。
【図３】同上の防音パネルユニットを示す外側斜視図である。
【図４】同上の防音パネルユニットにパンチングメタルを装着した状態を示す内側正面図である。
【図５】図４の防音パネルユニットを示す平面図である。
【図６】図４の防音パネルユニットを示すＡ−Ａ線断面図である。
【図７】同上の防音パネルユニットに装着するパンチングメタルのみを示す図であり、（ａ）が正面図、（ｂ）が平面図、（ｃ）が側面図である。
【図８】同上の防音パネルユニットの固定パネルと中間パネルの組み合せを示す模式図である。
【図９】図８の防音パネルユニットの組み合せの別の実施形態を示す模式図である。
【図１０】同上の防音パネルユニットの中間パネルの脱着を示す斜視図である。
【図１１】同上の防音パネルユニットの中間パネルの脱落防止リブを拡大して示す斜視図である。
【図１２】同上の防音パネルユニットのパネル同士のリベット接合の断面を拡大して示す斜視図である。
【図１３】本発明の実施形態に係る防音パネルユニットの施工方法のユニット搬入据付工程を示す工程説明図である。
【図１４】同上の防音パネルユニットの施工方法の押え金具装着工程を示す工程説明図である。
【図１５】同上の防音パネルユニットの施工方法のボルト締結工程及び次のユニットのユニット搬入据付工程を示す工程説明図である。
【図１６】同上の防音パネルユニットの施工方法が完了し、防音壁ができ上がった状態を示す斜視図である。
【発明を実施するための形態】
【００３０】
以下、図面を参照しながら本発明の実施形態に係る防音パネルユニット、防音パネルユニットの施工方法、及び防音壁の補修方法について詳細に説明する。
【００３１】
先ず、図１〜図７を用いて、本発明の実施形態に係る防音パネルユニット１について説明する。
【００３２】
本実施形態に係る防音パネルユニット１は、鉄道橋や道路橋などの橋梁の縁に沿って設けられる高欄として設置され、線路や道路から発生する騒音が周囲に漏れるのを防止する防音壁を構成するものである。
【００３３】
図１は、本発明の実施形態に係る防音パネルユニット１を示す内側斜視図であり、図２は、防音パネルユニット１の構成を示す分解斜視図であり、図３は、防音パネルユニットを示す外側斜視図である。図１〜図３に示すように、本実施形態に係る防音パネルユニット１は、支柱とパネルとが一体となった鋼製防音パネルが３枚接合された防音パネルユニットであり、固定パネル２と中間パネル３の２種類のパネルから主に構成されている。
【００３４】
固定パネル２及び中間パネル３は、いずれも縦長な長方形（矩形）状の高耐食性めっき鋼板からなる鋼板の外側両端を折り返して縦リブが形成された鋼製防音パネルである。また、固定パネル２及び中間パネル３は、外側両端に縦リブを形成して水平断面コの字状とすることにより、パネルに曲げ剛性を担保して、支柱がなくても立設可能とし、支柱を構造躯体に埋設する工程を省略して工期を短縮するものである。
【００３５】
その上、支柱がない鋼製の防音パネルとすることにより、コンクリート製の防音パネルと比べて軽量であり、設置が容易となる。また、表面剥離の問題も解消することができる。さらに、鋼板なので、切断や溶接等も容易であり現地加工も容易である。なお、防音パネルユニット１(固定パネル２及び中間パネル３)は、縦長な長方形（矩形）状で説明するが、これに限定されず、横長な長方形（矩形）状でも正方形状としても実施することができる。
【００３６】
（固定パネル）
固定パネル２は、防音パネルユニット１の左右の端部に配置され、地覆や高欄基礎などの構造躯体に固定支持されるパネルであり、中間パネル３は、固定パネル２に接合されることにより固定支持されるパネルである。なお、固定パネル２の構造躯体への固定は、後述のベースプレート４と押え金具５を用いて、構造躯体に突設又は埋設されて設置されたアンカーにボルト接合することにより行う。
【００３７】
図２に示すように、固定パネル２は、縦長な長方形（矩形）状のパネル本体２０と、このパネル本体２０の両側端が橋梁の内側へ折り返された縦リブ２１，２２など、から構成されている。
【００３８】
縦リブ２１，２２は、図２に示すように、パネル本体２０の曲げ剛性を向上させるために折り返された左右対称の補強リブであり、上方へ行くに従って幅が小さくなるように台形状に形成されている。また、この縦リブ２１，２２の突端は、パネル本体２０の内側へさらに折り返された折反し片２１ａ，２２ａが形成されている。
【００３９】
なお、防音パネルユニット１と隣接するパネルユニットと係合させる場合は、縦リブ２２の突端が外側へ折り返された折反し片２２ａ’となった固定パネル２’とすると好ましい。また、固定パネル２の板厚は、１．６ｍｍ〜２．３ｍｍを使用することができる。
その上、縦リブ２２間の空間を、人間が入ることが可能なサイズにした場合、防音パネルの施工時などにおける作業車両等からの退避スペースや、通信付帯設備や標識などを取り付ける空間にも利用することができる。
【００４０】
（中間パネル）
中間パネル３は、図２に示すように、縦長な長方形（矩形）状のパネル本体３０と、このパネル本体３０の両側端が橋梁の内側へ折り返された縦リブ３１，３２など、から構成されている。
【００４１】
この縦リブ３１，３２も、固定パネル２と同様に、パネル本体３０の曲げ剛性を向上させるために折り返された左右対称の補強リブであり、上方へ行くに従って幅が小さくなるように台形状に形成されている。また、この縦リブ３１，３２の突端には、パネル本体３０の外側へさらに折り返された脱落防止リブ３１ａ，３２ａが形成されている（図１１も参照）。また、中間パネル３の板厚は、１．６ｍｍ〜２．３ｍｍを使用することができる。その上、縦リブ２２間の空間を、人間が入ることが可能なサイズにした場合、防音パネルの施工時などにおける作業車両等からの退避スペースや、通信付帯設備や標識などを取り付ける空間にも利用することができる。
【００４２】
（ベースプレート）
ベースプレート４は、図２に示すように、高耐食性めっき鋼板からなる厚さ４．５ｍｍ程度の鋼板を折り曲げ加工して、上面と正面の２面が開放された箱状に形成した部材である。このベースプレート４の底面プレートには、アンカーを挿通する２つのアンカー孔４ａが穿設されている。また、底面プレートには不陸調整及び躯体と防音パネルユニット１間を電流が流れないようにするためにゴムが接着されている。
【００４３】
そして、ベースプレート４の側面プレートには、後述のパンチングメタル７を差し込む欠き込み４ｂが形成され、ベースプレート４の背面プレートには、後述のパンチングメタル７を載置する折返し片４ｃが形成されている。また、ベースプレート４の板厚は、４．５ｍｍ〜９ｍｍを使用することができる。
【００４４】
（押え金具）
押え金具５は、ベースプレート４内に収まる大きさの厚さ１２ｍｍ程度の長方形（矩形）状の鋼板であり、応力が集中するアンカー付近をパネル材（固定パネル２と中間パネル３）と別部材とするために設けた部材である。このように、押え金具５をパネル材と別部材とすることで、パネル材を薄板化して防音パネルユニット１全体の軽量化を図るためである。また、押え金具５の板厚は、９ｍｍ〜１６ｍｍを使用することができる。
【００４５】
（笠木）
笠木６は、２．３ｍｍ厚の高耐食性めっき鋼板を断面コの字状に折り曲げた笠木であり、この笠木６は、固定パネル２，２’と中間パネル３の上端を揃えて補強する機能を有している。図３に示すように、防音パネルユニット１は、笠木６により、固定パネル２，２’と中間パネル３の上端が揃えられて、橋梁の外側の面が面一となるように設置される。
また、笠木６の板厚は、１．６ｍｍ〜２．３ｍｍを使用することができる。
【００４６】
（防音材）
次に、防音パネルユニット１のオプション部材である防音材として、パンチングメタル７及びこのパンチングメタル７に装着する吸音材について説明する。そもそも、前述の防音パネルユニット１は、吸音材が無くても単独で鋼板の重さにより透過損失を大きくして遮音する単層の遮音壁を構成する。しかし、本実施形態に係る防音パネルユニット１は、防音効果を高めるとともに、設置後の音環境の改善を可能とするため、パンチングメタル７を嵌め込んで、その中に吸音材を追加可能とするものである。
【００４７】
図４は、防音パネルユニット１にパンチングメタル７を装着した状態を示す内側正面図であり、図５は、その平面図、図６は、そのＡ−Ａ線断面図である。また、図７は、防音パネルユニットに装着するパンチングメタル７のみを示す図であり、（ａ）が正面図、（ｂ）が平面図、（ｃ）が側面図である。
【００４８】
図７（ａ）に示すように、パンチングメタル７は、０．６ｍｍ厚程度の長方形状の耐候性メッキ鋼板や二枚の鋼板の間に樹脂をサンドイッチさせた鋼板などに多数の孔が穿設された鋼板からなり、（ｂ）（ｃ）に示すように、四辺の縁が折り返されて２５ｍｍ厚程度の吸音材を装着するスペースを確保している。
【００４９】
吸音材としては、発泡ポリウレタンフォームなどの発泡樹脂やグラスウールなどの繊維材が好適に用いられ、パンチングメタル７の孔を通過した騒音を乱反射して減衰することにより吸音する材料であれば適宜用いられるものである。
【００５０】
パンチングメタル７は、図示しない吸音材が貼着された状態で、図４、図５に示すように、固定パネル２，２’と中間パネル３にそれぞれ装着される。パンチングメタル７の固定は、図６に示すように、パンチングメタル７が前述のベースプレート４の欠き込み４ｂに差し込まれて、折返し片４ｃの上に載置されたうえ、Ｌ形アングル７０で止め付けられている。なお、符号７１は、後述のリベットの干渉を防ぐためのリベット干渉部切欠き７１である。また、パンチングメタル７や鋼板のみを遮音材として装着してもよい。また、吸音材と遮音材の両方を装着しても良い。このように、吸音材のみ、遮音材のみ、吸音材と遮音材を追加するなど防音材の様々な対応で装着可能である。
【００５１】
次に、図８、図９を用いて、本発明に係る防音パネルユニットの固定パネル２と中間パネル３の配置について説明する。図８は、防音パネルユニットの固定パネルと中間パネルの組み合せを示す模式図であり、図９は、防音パネルユニットの組み合せの別の実施形態を示す模式図である。
【００５２】
前述のように、固定パネル２は、構造躯体に固定支持されるパネルであり、中間パネル３は、固定パネル２に接合されることにより固定支持されるパネルである。よって、図８（ａ）に示すように、３枚の鋼製防音パネルのうち、両外側を構造躯体に固定する固定パネル２として、その中間を中間パネル３とするのが基本形である。
【００５３】
しかし、図８（ｂ）に示すように、防音パネルユニットを４枚の鋼製防音パネルから構成し、中間の２枚を前述の中間パネル３としてもよい。両端の固定パネル２で構造躯体に固定支持するとともに、中間パネル３の一方を固定パネル２で固定でき、笠木６で一体化できるからである。
【００５４】
また、図８（ｃ）に示すように、防音パネルユニットを５枚の鋼製防音パネルから構成し、そのうち両端を固定パネル２とするとともに、中央に固定パネル２を配し、それらの間を中間パネル３としてもよい。要するに、本発明に係る防音パネルユニットは、固定パネル２が構造躯体に固定支持され、中間パネル３の少なくとも一側が固定パネル２に接続支持される構造であればよい。
【００５５】
そして、図９（ａ）に示す防音パネルユニット１の固定パネル２と中間パネル３の幅が同じ等間隔の直線状の配置を基本形とすると、防音壁の施工範囲の端部となる防音パネルユニットでは、図９（ｂ）に示すように、中間パネル３の幅で長さ調整が可能である。この場合、固定パネル２は、全く同じ構成であるため、固定パネル２の製造ラインはそのまま使用できる。また、中間パネルも、中間パネル３の幅を調整した（図示形態では切り詰めた）中間パネル３’とするだけで、製造可能である。しかも、鋼製パネルであるため、切り詰めのための切断、溶接がＦＲＰパネルと比べて格段に容易である。
【００５６】
また、図９（ｃ）に示すように、曲面部分や、図９（ｄ）に示すように、コーナー部分（直角部分）に、防音パネルユニットを設置する場合でも、中間パネル３”や中間パネル３#という中間パネルを役物とするだけで様々な場合に対応することができる。このため、本発明に係る防音パネルユニットは、端尺部や特殊部の製造が容易である。
【００５７】
＜固定パネルと中間パネルの接合＞
次に、図１０〜図１２を用いて、固定パネル２と中間パネル３の接合方法について説明する。図１０は、防音パネルユニット１の中間パネル３の脱着を示す斜視図である。また、図１１は、防音パネルユニット１の中間パネル３の脱落防止リブを拡大して示す斜視図であり、図１２は、防音パネルユニットのパネル同士のリベット接合の断面を拡大して示す斜視図である。
【００５８】
図１０に示すように、中間パネル３は、固定パネル２と固定パネル２’との間に嵌め込まれ、図１２に示すように、リベットＲＢでリベット接合されている。勿論、中間パネル３と固定パネル２，２’との接合は、リベット接合に限られず、ボルトとナットのボルト接合やクリップ止めなど他の乾式接合で接合されていても構わない。要するに、溶接など湿式の接合で後から分離するのに時間の掛かる接合でなければよい。
【００５９】
また、図１１に示すように、中間パネル３の縦リブ３１，３２の突端には、パネル本体３０の外側へさらに折り返された脱落防止リブ３１ａ，３２ａが形成されている。そして、脱落防止リブ３１ａ，３２ａは、固定パネル２の縦リブ２２の折反し片２２ａ，固定パネル２’の縦リブ２１の折反し片２１ａに当接させて、その脱落防止リブ３１ａ，３２ａと折反し片２１ａ，２２ａをリベットＲＢでリベット接合している。
【００６０】
このため、例え、リベットＲＢが外れたとしても、脱落防止リブ３１ａ，３２ａで中間パネル３が、固定パネル２，２’の折反し片２１ａ，２２ａで掛け止められることとなり、橋梁の外側へ中間パネル３が脱落する事故を防ぐことができる。また、これは、防音パネルユニット１の施工時だけでなく、防音パネルユニット１の一部を取り替えたり修繕したりする補修時においても同様のことが言える。
【００６１】
以上のように、本実施形態に係る防音パネルユニット１によれば、固定パネル２，２’と中間パネル３の２種類のパネルからなり、これらのパネルの接合が、リベット接合などの乾式接合でそれぞれ分離可能に接合されている。このため、鋼製の中間パネル３の幅や形状を変えるだけで、端尺部や特殊部の製造が容易である。その上、本実施形態に係る防音パネルユニット１によれば、鋼製の防音パネルであるので、コンクリート製の防音パネルと比べて、軽量であり、設置が容易であるとともに、表面剥離の問題も生じない。
【００６２】
＜防音パネルユニットの施工方法＞
次に、図１３〜図１６を用いて、本発明の実施形態に係る防音パネルユニットの施工方法について詳細に説明する。鉄筋コンクリート製の構造躯体である橋梁の地覆Ｃ１に前述の防音パネルユニット１を設置する場合を例示して説明する。
【００６３】
図１３は、本発明の実施形態に係る防音パネルユニットの施工方法のユニット搬入据付工程を示す工程説明図である。図１３に示すように、本実施形態に係る防音パネルユニットの施工方法では、先ず、前述の防音パネルユニット１を地覆Ｃ１上に搬入して予め地覆Ｃ１に埋設されて立設されたアンカーボルトＡＢに差し込んで据え付けるユニット搬入据付工程を行う。
【００６４】
具体的には、図１３に示すように、防音パネルユニット１は、予め工場等で、前述の固定パネル２，２’と中間パネル３をリベットＲＢで接合し、笠木６及びベースプレート４等を溶接等で接合して一体化しておく。そして、ワイヤーロープＬ等を用いて、クレーンなどの揚重機で一体化した防音パネルユニット１を吊上げ、ベースプレート４のアンカー孔４ａにアンカーボルトＡＢを差し込んで地覆Ｃ１上に防音パネルユニット１を据え付ける。
【００６５】
勿論、クレーンなどの揚重機を使用せずに、固定パネル２，２’や中間パネル３をバラバラに人力で持ち込んで、現地で組立てもよいことは云うまでもない。但し、クレーンなどの揚重機を設置できる場合は、作業効率が向上するため好ましい。
【００６６】
図１４は、本実施形態に係る防音パネルユニットの施工方法の押え金具装着工程を示す工程説明図である。図１４に示すように、本実施形態に係る防音パネルユニットの施工方法では、次に、前工程で据え付けた防音パネルユニット１に、前述の押え金具５を装着してボルト止めする押え金具装着工程を行う（図１５も参照）。
【００６７】
具体的には、図１４に示すように、前工程で据え付けた防音パネルユニット１のベースプレート４の上に、押え金具５を載置し、インパクトレンチ等でナットを締め付け、アンカーボルトＡＢに押え金具５を介して防音パネルユニット１を地覆Ｃ１に固定する（図１５も参照）。
【００６８】
図１５は、本実施形態に係る防音パネルユニットの施工方法のボルト締結工程及び次のユニットのユニット搬入据付工程を示す工程説明図である。図１５に示すように、本実施形態に係る防音パネルユニットの施工方法では、次に、地覆Ｃ１に固定した防音パネルユニット１の隣に次の防音パネルユニット１をアンカーボルトＡＢに差し込んで据え付けるユニット搬入据付工程を行う。
【００６９】
以降は、前述のユニット搬入据付工程、押え金具装着工程、ボルト締結工程の各工程を繰り返し、防音パネルユニット１を次々施工して行く。このように、防音パネルユニット１を施工区間内において次々に設置して行き、既に設置した防音パネルユニット１と施工区間の残りの端尺部分を現地で実測した上、実測した端尺部分の長さに基づいて中間パネル３の幅だけを変更した防音パネルユニット１’を端尺部分に設置する。すると、図１６に示すように、防音パネルユニットの施工、即ち、防音壁の工事が完了する。図１６は、本実施形態に係る防音パネルユニットの施工方法が完了し、防音壁ができ上がった状態を示す斜視図である。
【００７０】
このように、本実施形態に係る防音パネルユニットの施工方法によれば、端尺部分を現地で実測した上、防音パネルユニット１’を設置することができるので、施工が容易で短時間で設置が可能であり、設置コストを低減することができる。これに比べて、従来のＦＲＰ製の防音パネルでは、通常金型が必要であり、通常の１ユニットで収まらない端尺部や、コーナー部、曲面部、勾配部などの特殊部の製造や施工が極めて困難であり、特殊部は、後から、特注の鋼製パネルやコンクリート製のパネルとすることが行われていた。このため、コスト的にも不経済であり、工期も長くなっていた。
【００７１】
＜防音壁の補修方法＞
次に、図１０、図１２、図１６を用いて、本発明の実施形態に係る防音壁の補修方法について簡単に説明する。
【００７２】
図１６に示すような防音パネルユニット１が並設された防音壁の状態から、経年劣化や線路から弾かれたバラストの飛来、車両の衝突などの事故により、防音壁の一部が損傷する場合がある。そのような場合、本実施形態に係る防音壁の補修方法では、防音パネルユニット１が鋼製の防音パネルであるため、補修が極めて容易である。例えば、バラストが当たった程度であれば、ハンマー等で叩くなどして簡単に元に戻し、防錆塗装などを施すだけで補修作業が終了する。しかし、従来のＦＲＰ製の防音パネルでは、現地での補修作業は殆ど不可能であり、損傷した部分の付近一帯の防音壁の１ユニットを全部取り替える必要があり、不経済であった。
【００７３】
また、現地での補修ができないような損傷の激しい場合であっても、前述のように、防音パネルユニット１は、固定パネル２と中間パネル３の接合が、図１２に示したように、乾式のリベット接合等で接合されているため、固定パネル２と中間パネル３との分離が容易である。このため、例えば、中間パネル３のみが損傷した場合、図１０に示すように、図１２に示すリベットＲＢや笠木６を切断して、簡単に中間パネル３を取り外すことができる。
【００７４】
また、固定パネル２が損傷した場合であっても、中間パネル３と固定パネル２との接合を解除し、隣接する固定パネル２，２’との接合を解除すれば、固定パネル２を取り外すこともできる。このとき、リベットＲＢや笠木６の切断も橋梁上で行うことができる。このため、補修のための足場を設置する必要がなく、極めて経済的である。
【００７５】
また、前述のように、脱落防止リブ３１ａ，３２ａは、固定パネル２の縦リブ２２の折反し片２２ａ，固定パネル２’の縦リブ２１の折反し片２１ａに当接させて、その脱落防止リブ３１ａ，３２ａと折反し片２１ａ，２２ａをリベットＲＢでリベット接合されている。このため、補修の際に、橋梁の外側への中間パネル３が脱落するのを確実の防ぐことができる。
【００７６】
このように、本実施形態に係る防音壁の補修方法によれば、防音パネルユニット１の一部が損傷した場合の補修がその部分のパネルを交換するだけで済み、メンテナンスが容易で損傷した場合の補修が短時間で安価にすることができる。
【００７７】
以上、本発明の実施形態に係る防音パネルユニット、防音パネルユニットの施工方法、及び防音壁の補修方法について、詳細に説明したが、上述した実施形態は、何れも本発明を実施するにあたっての具体化の例を示したものに過ぎない。よって、上述した実施形態及び、図示した実施形態により、本発明の技術的範囲が限定的に解釈されてはならないものである。
【００７８】
特に、構造躯体としてコンクリート製の地覆を例示して説明したが、コンクリート構造物に限られず、鋼製の橋梁にも適用できることは云うまでもない。要するに、アンカー等で防音パネルユニットを固定可能な構造躯体であれば本発明を適用することできる。
【符号の説明】
【００７９】
１，１’：防音パネルユニット
２，２’：固定パネル
２０：パネル本体
２１，２２：縦リブ
２１ａ，２２ａ，２２ａ’：折返し片
２３：充填材
３，３’：中間パネル
３０：パネル本体
３１，３２：縦リブ
３１ａ，３２ａ：脱落防止リブ
ＲＢ：リベット
４：ベースプレート
４ａ：アンカー孔
４ｂ：欠き込み
４ｃ：折返し片
４０：レベル計本体
５：押え金具
６：笠木
７：パンチングメタル（遮音材）
７０：Ｌ形アングル
７１：リベット干渉部切欠き
Ｃ１：地覆（構造躯体）
ＡＢ：アンカーボルト
【図１】
2019056268.tif 000003
【図２】
2019056268.tif 000004
【図３】
2019056268.tif 000005
【図４】
2019056268.tif 000006
【図５】
2019056268.tif 000007
【図６】
2019056268.tif 000008
【図７】
2019056268.tif 000009
【図８】
2019056268.tif 000010
【図９】
2019056268.tif 000011
【図１０】
2019056268.tif 000012
【図１１】
2019056268.tif 000013
【図１２】
2019056268.tif 000014
【図１３】
2019056268.tif 000015
【図１４】
2019056268.tif 000016
【図１５】
2019056268.tif 000017
【図１６】
2019056268.tif 000018